(57)【要約】【課題】より高精度に色むらを補正することが可能なプロジェクタ用の色むら補正システム等を提供すること。【解決手段】色むら補正システムが、プロジェクタと投写対象物との間に設けられ、プロジェクタによって投写される投写光の一部の画像信号値を測定して当該画像信号値を示す測定情報を生成する測定部３４０と、測定部３４０を移動可能に支持する支持部３３０と、支持部３３０を駆動することにより、投写光の所定範囲の画像信号値を測定部３４０に測定させる駆動部３２０と、測定情報に基づき、色むら補正データを生成する色むら補正データ生成部と、色むら補正データに基づき、色むらが補正されるように投写用の画像信号を補正する色むら補正部を含んで構成される。【選択図】図４
2009116227.tif 000002
【特許請求の範囲】
【請求項１】
プロジェクタと投写対象物との間に設けられ、前記プロジェクタによって投写される投写光の一部の画像信号値を測定して当該画像信号値を示す測定情報を生成する測定部と、
当該測定部を移動可能に支持する支持部と、
当該支持部を駆動することにより、前記投写光の所定範囲の前記画像信号値を前記測定部に測定させる駆動部と、
前記測定情報に基づき、色むら補正データを生成する色むら補正データ生成部と、
前記色むら補正データに基づき、色むらが補正されるように投写用の画像信号を補正する色むら補正部と、
を含むことを特徴とする色むら補正システム。
【請求項２】
請求項１に記載の色むら補正システムは、
前記測定部と、前記支持部と、前記駆動部と、制御装置と通信を行う測定側通信部とを有する測定装置と、
前記色むら補正データ生成部と、前記測定装置および前記プロジェクタと通信を行う制御側通信部とを有する前記制御装置と、
を含み、
前記制御側通信部は、測定制御情報を前記測定装置へ向け送信するとともに、前記色むら補正データを受信して前記色むら補正部を有する前記プロジェクタへ向け前記色むら補正データを送信し、
前記測定側通信部は、前記測定制御情報を受信するとともに、前記測定情報を前記制御装置へ向け送信し、
前記駆動部は、前記測定制御情報に基づき、前記所定範囲の投写光が測定されるように前記支持部を駆動することを特徴とする色むら補正システム。
【請求項３】
請求項２に記載の色むら補正システムにおいて、
前記プロジェクタは、階調を変化させながら単色画像を複数回投写し、
前記色むら補正データ生成部は、各階調の前記測定情報に基づき、階調ごとに色むら補正データを生成し、
前記制御側通信部は、階調ごとの色むら補正データを前記プロジェクタへ向け送信することを特徴とする色むら補正システム。
【請求項４】
請求項２、３のいずれかに記載の色むら補正システムにおいて、
前記制御装置は、前記測定制御情報を生成する情報生成部を含み、
前記制御側通信部は、前記プロジェクタから前記プロジェクタの投写領域に関する投写領域情報を受信し、
前記情報生成部は、前記投写領域情報に基づき、前記投写領域に対応した範囲の投写光が測定されるように前記測定制御情報を生成することを特徴とする色むら補正システム。
【請求項５】
請求項１〜４のいずれかに記載の色むら補正システムにおいて、
前記色むら補正データ生成部は、前記測定情報で示される複数の前記画像信号値から最適値を決定するとともに、当該最適値を基準値として前記色むら補正データを生成することを特徴とする色むら補正システム。
【請求項６】
キャリブレーションを行うためのキャリブレーション画像を投写し、
プロジェクタと投写対象物との間に設けられ、前記プロジェクタによって投写された前記キャリブレーション画像の一部の画像信号値を測定して当該画像信号値を示す測定情報を生成する測定部を移動させながら前記測定情報を生成し、
前記測定情報に基づき、色むら補正データを生成し、
前記色むら補正データに基づき、色むらが補正されるように投写用の画像信号を補正することを特徴とする色むら補正方法。
【発明の詳細な説明】
【技術分野】
【０００１】
本発明は、プロジェクタ用の色むら補正システムおよび色むら補正方法に関する。
【背景技術】
【０００２】
プロジェクタの液晶パネルの特性や光学系の劣化等によって色むら（輝度むらも含む）が発生する場合があり、プロジェクタは色むらを補正する必要がある。例えば、特開２００４−２２８９４８号公報では、投写画像を撮像センサで撮像し、撮像情報に基づいて色むらを補正する手法が記載されている。
【０００３】
しかし、撮像センサには、撮像領域の中心が最も精度がよく、中心から離れるほど精度が落ちるという特性がある。このため、撮像センサを用いる手法の場合、撮像領域内の位置に応じて撮像情報を補正する必要がある。
【０００４】
また、例えば、特開２００２−３１１５００号公報では、スクリーンにおける画像投写面の裏面にラインセンサを設け、ラインセンサからの画像データに基づき、画像を補正する手法が記載されている。
【特許文献１】特開２００４−２２８９４８号公報
【特許文献２】特開２００２−３１１５００号公報
【発明の開示】
【発明が解決しようとする課題】
【０００５】
しかし、特開２００２−３１１５００号公報の手法の場合、スクリーンの影響を受けてしまうため、プロジェクタ内部の要因によって発生する色むらを適切に補正することはできない上、スクリーンが透過型のものに限定されてしまう。
【０００６】
本発明の目的は、より高精度に色むらを補正することが可能なプロジェクタ用の色むら補正システムおよび色むら補正方法を提供することにある。
【課題を解決するための手段】
【０００７】
上記課題を解決するため、本発明に係る色むら補正システムは、プロジェクタと投写対象物との間に設けられ、前記プロジェクタによって投写される投写光の一部の画像信号値を測定して当該画像信号値を示す測定情報を生成する測定部と、当該測定部を移動可能に支持する支持部と、当該支持部を駆動することにより、前記投写光の所定範囲の前記画像信号値を前記測定部に測定させる駆動部と、前記測定情報に基づき、色むら補正データを生成する色むら補正データ生成部と、前記色むら補正データに基づき、色むらが補正されるように投写用の画像信号を補正する色むら補正部と、を含むことを特徴とする。
【０００８】
また、本発明に係る色むら補正方法は、キャリブレーションを行うためのキャリブレーション画像を投写し、プロジェクタと投写対象物との間に設けられ、前記プロジェクタによって投写された前記キャリブレーション画像の一部の画像信号値を測定して当該画像信号値を示す測定情報を生成する測定部を移動させながら前記測定情報を生成し、前記測定情報に基づき、色むら補正データを生成し、前記色むら補正データに基づき、色むらが補正されるように投写用の画像信号を補正することを特徴とする。
【０００９】
本発明によれば、色むら補正システム等は、プロジェクタと投写対象物との間に設けられた測定部または支持部を移動させながら、投写光全体ではなく、投写光の一部の画像信号値を測定することにより、測定部のレンズ特性の影響を受けにくい上、スクリーン等の投写対象物の影響も受けにくいので、より正確に画像信号値を測定することができるため、より高精度に色むらを補正することができる。
【００１０】
また、前記色むら補正システムは、前記測定部と、前記支持部と、前記駆動部と、制御装置と通信を行う測定側通信部とを有する測定装置と、前記色むら補正データ生成部と、前記測定装置および前記プロジェクタと通信を行う制御側通信部とを有する前記制御装置と、を含み、前記制御側通信部は、測定制御情報を前記測定装置へ向け送信するとともに、前記色むら補正データを受信して前記色むら補正部を有する前記プロジェクタへ向け前記色むら補正データを送信し、前記測定側通信部は、前記測定制御情報を受信するとともに、前記測定情報を前記制御装置へ向け送信し、前記駆動部は、前記測定制御情報に基づき、前記所定範囲の投写光が測定されるように前記支持部を駆動してもよい。
【００１１】
これによれば、色むら補正システム等は、例えば、制御装置としてＰＣ(Personal Computer)等を用い、プロジェクタの機種に応じて異なる測定装置を適用するといったことが可能になり、より柔軟に色むらを補正することができる。
【００１２】
また、前記プロジェクタは、階調を変化させながら単色画像を複数回投写し、前記色むら補正データ生成部は、各階調の前記測定情報に基づき、階調ごとに色むら補正データを生成し、前記制御側通信部は、階調ごとの色むら補正データを前記プロジェクタへ向け送信してもよい。
【００１３】
これによれば、色むら補正システム等は、階調ごとの色むら補正データを生成することができるため、より高精度に色むらを補正することができる。
【００１４】
また、前記制御装置は、前記測定制御情報を生成する情報生成部を含み、前記制御側通信部は、前記プロジェクタから前記プロジェクタの投写領域に関する投写領域情報を受信し、前記情報生成部は、前記投写領域情報に基づき、前記投写領域に対応した範囲の投写光が測定されるように前記測定制御情報を生成してもよい。
【００１５】
これによれば、色むら補正システム等は、プロジェクタの投写領域に対応した範囲の投写光の画像信号値を測定することができるため、高精度かつ効率的に色むらを補正することができる。
【００１６】
また、前記色むら補正データ生成部は、前記測定情報で示される複数の前記画像信号値から最適値を決定するとともに、当該最適値を基準値として前記色むら補正データを生成してもよい。
【００１７】
これによれば、色むら補正システム等は、最適値を基準値として色むら補正データを生成することにより、より高精度に色むらを補正することができる。
【発明を実施するための最良の形態】
【００１８】
以下、本発明を色むら補正システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１９】
図１は、本実施例における色むら補正システムの使用状態を示す図である。色むら補正システムは、スクリーン２０に画像３０を投写するプロジェクタ１００と、制御装置として機能するＰＣ２００と、測定装置３００を含んで構成されている。
【００２０】
測定装置３００は、プロジェクタ１００と、投写対象物の一種であるスクリーン２０との間に設けられている。測定装置３００は、垂直方向に移動可能な水平方向の棒状の支持部３３０と、水平方向に移動可能な垂直方向の棒状の支持部３３０と、各支持部３３０の交差する部分に設けられる測定部３４０を含んで構成されている。
【００２１】
測定装置３００は、支持部３３０を駆動することにより、測定部３４０の位置を変更させながらプロジェクタ１００によって投写される投写光の一部の画像信号値（例えば、ＸＹＺ値等）を測定する。ＰＣ２００は、測定情報に基づいて色むら補正データを生成する。プロジェクタ１００は、色むら補正データに基づいて色むらを補正する。
【００２２】
次に、このような機能を有するプロジェクタ１００の機能ブロックについて説明する。図２は、本実施例におけるプロジェクタ１００の機能ブロック図である。プロジェクタ１００は、ＰＣ２００と通信を行うプロジェクタ側通信部１１０と、種々のデータを記憶する記憶部１２０と、画像生成部１３０と、色むら補正部１４２を有する補正部１４０と、投写部１９０を含んで構成されている。
【００２３】
また、記憶部１２０は、キャリブレーションを行うためのキャリブレーションデータ１２１（例えば、画像データ等）、色むら補正データ１２２（例えば、液晶パネルの画素ごとの駆動電圧と透過率の関係を示すＶＴデータ等）等を記憶している。
【００２４】
次に、ＰＣ２００の機能ブロックについて説明する。図３は、本実施例におけるＰＣ２００の機能ブロック図である。ＰＣ２００は、プロジェクタ１００および測定装置３００と通信を行うＰＣ側通信部２１０と、種々のデータを記憶する記憶部２２０と、種々の情報を生成する情報生成部２３０と、色むら補正データ生成部２４０と、操作部２９０を含んで構成されている。
【００２５】
また、記憶部２２０は、測定装置３００からの測定情報２２１、色むら補正データ生成部２４０によって生成される色むら補正データ２２２、プロジェクタ１００の液晶パネルの表示領域（例えば、水平方向および垂直方向の画素数等）を示す投写領域情報２２３、測定装置３００の測定領域（例えば、水平方向および垂直方向の移動可能な範囲等）を示す測定領域情報２２４等を記憶している。
【００２６】
次に、測定装置３００の機能ブロックについて説明する。図４は、本実施例における測定装置３００の機能ブロック図である。測定装置３００は、ＰＣ２００と通信を行う測定側通信部３１０と、測定部３４０と、測定部３４０を支持する支持部３３０と、支持部３３０を移動させる駆動部３２０を含んで構成されている。
【００２７】
なお、これらの各部は、例えば、以下のハードウェアを用いて実装されてもよい。例えば、プロジェクタ側通信部１１０、ＰＣ側通信部２１０、測定側通信部３１０としてはＵＳＢ通信ユニット、無線通信ユニット等、記憶部１２０としてはＲＡＭ等、画像生成部１３０、補正部１４０としては画像処理回路等、投写部１９０としてはランプ、液晶駆動回路、液晶パネル、投写レンズ等、記憶部２２０としてはＨＤＤ等、情報生成部２３０、色むら補正データ生成部２４０、駆動部３２０としてはＣＰＵ等、支持部３３０としてはギヤ、モータ等、測定部３４０としては色彩計、測色器、照度計等が採用されてもよい。
【００２８】
本実施例では、測定装置３００は、プロジェクタ１００によって投写される投写光の一部（所定範囲）の画像信号値（本実施例ではＸＹＺ値）を測定できるように、測定可能範囲内の任意の測定位置でＸＹＺ値を測定する。
【００２９】
図５は、本実施例における測定位置を示す模式図である。また、図６は、本実施例における測定位置と測定値を示す図である。例えば、本実施例では、図１に示すように、測定可能範囲（スクリーン２０）のアスペクト比が４：３であり、水平方向（ｘ方向）に３２段階、垂直方向に２４段階で移動可能であり、プロジェクタ１００の液晶パネルの表示領域のアスペクト比が１６：９であり、当該表示領域は水平方向１９２０画素、垂直方向１０８０画素であるものとする。
【００３０】
この場合、図１に示すように、ユーザは、スクリーン２０の上下のそれぞれに隙間ができる形でプロジェクタ１００を用いて画像３０を投写する。このため、測定装置３００は、実際にはｘ値が０〜３１、ｙ値が０〜２３の範囲で測定可能であるが、図６では、ｙ値が０〜２、２１〜２３のＸＹＺ値は画像３０の非表示部分であるため測定しない。また、上記表示領域の画素数の場合、図６に示す１マスは、水平方向６０画素、垂直方向４５画素に相当する。
【００３１】
次に、測定装置３００等を用いた色むら補正手順についてより詳細に説明する。図７は、本実施例における色むら補正手順を示すフローチャートである。例えば、ユーザが、操作部２９０を操作してキャリブレーション指示を行った場合、ＰＣ２００は、色むら補正用のキャリブレーションを開始する。まず、情報生成部２３０は、測定対象の階調範囲から階調を指定して投写制御情報を生成し、ＰＣ側通信部２１０は、当該投写制御情報をプロジェクタ１００へ向け送信する（ステップＣ１）。
【００３２】
プロジェクタ側通信部１１０は、当該投写制御情報を受信する（ステップＰ１）。画像生成部１３０は、キャリブレーションデータ１２１に基づいて白の単色画像（キャリブレーション画像、すなわち、キャリブレーションを行うための画像）を生成し、投写制御情報に基づいて当該単色画像の階調を調整した単色画像を生成し、投写部１９０は、階調の調整された単色画像を投写する（ステップＰ２）。
【００３３】
情報生成部２３０は、投写領域情報２２３と、測定領域情報２２４に基づいて測定対象範囲（例えば、ｘ＝０〜３１、ｙ＝３〜２０等）を決定し、当該測定対象範囲から測定位置（例えば、ｘ＝０、ｙ＝３の位置等）を指定して測定制御情報を生成し、ＰＣ側通信部２１０は、当該測定制御情報を測定装置３００へ向け送信する（ステップＣ２）。
【００３４】
測定側通信部３１０は、当該測定制御情報を受信する（ステップＳ１）。駆動部３２０は、当該測定制御情報で指定された測定位置に測定部３４０が位置するように支持部３３０を移動させ、支持部３３０を介して測定部３４０に制御信号を送信することにより、測定部３４０にプロジェクタ１００によって投写された単色画像の当該測定位置におけるＸＹＺ値を測定させる（ステップＳ２）。
【００３５】
測定部３４０は、当該測定位置におけるＸＹＺ値を測定して当該測定位置と当該ＸＹＺ値を示す測定情報を生成し、測定側通信部３１０は、当該測定情報をＰＣ２００へ向け送信する（ステップＳ３）。
【００３６】
ＰＣ側通信部２１０は、測定情報を受信し、記憶部２２０に測定情報２２１として記憶する（ステップＣ３）。情報生成部２３０は、測定対象範囲の全範囲の測定が終了したかどうかを判定する（ステップＣ４）。全範囲の測定が終了していない場合、ＰＣ２００等は、測定位置を変えながら上述したステップＣ２〜Ｃ４までの処理を繰り返し実行する。
【００３７】
一方、全範囲の測定が終了した場合、測定対象の全階調の測定が終了したかどうかを判定する（ステップＣ５）。全階調の測定が終了していない場合、ＰＣ２００等は、階調を変えながら上述したステップＣ１〜Ｃ５までの処理を繰り返し実行する。
【００３８】
一方、全階調の測定が終了した場合、色むら補正データ生成部２４０は、測定情報２２１に基づき、測定した各階調での最適値（例えば、最も色むらの少ない値、最も理想的な値に近い値等）を決定する（ステップＣ６）。
【００３９】
また、色むら補正データ生成部２４０は、決定した最適値を基準値として、測定位置ごと（投写部１９０の表示領域の画素ごと）のＶＴ値を示す色むら補正データ２２２を生成し、ＰＣ側通信部２１０は、色むら補正データ２２２をプロジェクタ１００へ向け送信する（ステップＣ７）。
【００４０】
プロジェクタ側通信部１１０は、色むら補正データ２２２を受信し、記憶部１２０に色むら補正データ１２２として記憶する（ステップＰ３）。色むら補正部１４２は、色むら補正データ１２２に基づき、投写部１９０の液晶パネルの画素ごとの透過率を調整することにより、色むらを補正する（ステップＰ４）。
【００４１】
以上のように、本実施例によれば、色むら補正システムは、プロジェクタ１００とスクリーン２０との間に設けられた測定部３４０または支持部３３０を移動させながら、投写光全体ではなく、プロジェクタ１００によって投写される投写光の一部の画像信号値を測定することにより、測定部３４０のレンズ特性の影響を受けにくい上、スクリーン２０等の投写対象物の影響も受けにくいので、より正確に画像信号値を測定することができるため、より高精度に色むらを補正することができる。
【００４２】
また、本実施例によれば、色むら補正システムは、制御装置としてＰＣを用いることにより、プロジェクタ１００の機種に応じて異なる測定装置３００（例えば、異なる測定可能範囲を有する測定装置等）を適用するといったことが可能になり、より柔軟に色むらを補正することができる。
【００４３】
また、本実施例によれば、色むら補正システムは、階調ごとの色むら補正データ１２２、２２２を生成することができるため、より高精度に色むらを補正することができる。また、本実施例によれば、色むら補正システムは、プロジェクタ１００の投写領域に対応した範囲の投写光の画像信号値を測定することができるため、高精度かつ効率的に色むらを補正することができる。
【００４４】
また、本実施例によれば、色むら補正システムは、階調ごとに最適値を基準値として色むら補正データ１２２、２２２を生成することにより、より高精度に色むらを補正することができる。例えば、撮像部を用いた手法の場合は、実際の測定値に関わらず、中心位置の測定値が基準値として用いられていたが、本実施例の手法の場合は、実際の測定値から最適な位置の測定値を決定することたできるため、より高精度に色むらを補正することができる。
【００４５】
また、本実施例の色むら補正の実行タイミングは、例えば、プレゼンテーション実行前のキャリブレーション時であってもよいが、プロジェクタ１００の検査時等であってもよい。特に、プロジェクタ１００の検査時の場合、支持部３３０や測定部３４０がスクリーン２０の前面にあっても画像３０の観察の妨げにならない。なお、プレゼンテーション実行時には、測定装置３００は、測定部３４０を左上、右上、右下、左下のいずれかの位置に移動させることにより、支持部３３０および測定部３４０が画像３０の観察の妨げになる事態の発生を防止することができる。
【００４６】
なお、本発明の適用は上述した実施例に限定されず、種々の変形が可能である。例えば、測定部３４０が測定する画像信号値は、ＸＹＺ値には限定されず、例えば、ＲＧＢ値、ＹＵＶ値、照度値、輝度値等であってもよい。また、測定部３４０の測定範囲や測定単位は上述した実施例には限定されず、例えば、測定部３４０は投写光の画像信号値を１画素ずつ測定してもよい。また、プロジェクタ１００が投写する単色画像は、白色には限定されず、例えば、緑色等の色の影響を受けにくい任意の色を採用可能である。
【００４７】
また、上述した実施例では、ＰＣ２００は、プロジェクタ１００に投写制御情報を送信しているが、ＰＣ２００が階調を変化させながら単色画像を生成して当該単色画像を示す画像情報をプロジェクタ１００へ向け送信してもよい。
【００４８】
また、測定装置は、測定部３４０を複数有してもよい。図８は、他の実施例における測定装置３０１の外観図である。例えば、図１に示す測定部３４０および支持部３３０を２セット設けてもよい。これにより、測定部３４０−１、３４０−２が同時に測定を行うことができるため、より短時間に測定を完了することができる。もちろん、測定部３４０を３つ以上設けてもよい。
【００４９】
また、支持部３３０は棒状には限定されないし、必須ではない。図９は、他の実施例における測定装置３０２の外観図である。例えば、駆動部３２１は、面状に構成され、所望の位置に磁力を発生させる。また、測定部３４１は、裏面（面状の駆動部３２１と接する面）に磁石が設けられている。このような構成によれば、駆動部３２１は、支持部３３０を用いることなく、磁力によって測定部３４１を任意の位置に移動させることができる。
【００５０】
また、色むらを補正する手法は上述した実施例には限定されず、種々の手法を採用可能である。例えば、色むらを補正するために、画像信号を、３次元ルックアップテーブルを用いて補正している場合、色むら補正部１４２は、色むら補正データ１２２に基づき、当該３次元ルックアップテーブルを補正してもよい。
【００５１】
また、適用されるプロジェクタ１００や測定装置３００が変更になる場合、ＰＣ２００は、変更時に、プロジェクタ１００からプロジェクタ１００の表示領域を示す投写領域情報２２３を受信したり、測定装置３００から測定装置３００の測定領域を示す測定領域情報２２４を受信したりしてもよい。これによれば、色むら補正システムは、プロジェクタ１００や測定装置３００が変更になる場合であっても、高精度に色むらを補正することができる。
【００５２】
また、投写対象物はスクリーン２０には限定されず、例えば、ホワイトボード、壁等であってもよい。また、制御装置は、ＰＣ２００には限定されず、例えば、リモートコントローラ、携帯電話、携帯情報端末等であってもよい。また、プロジェクタ１００は、前面投写型のプロジェクタには限定されず、背面投写型のプロジェクタ（例えば、リアプロジェクタ、プロジェクションテレビ等）であってもよい。
【００５３】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【００５４】
また、測定部３４０、駆動部３２０、色むら補正データ生成部２４０等の形態は、上述した実施例のようにプロジェクタ１００、ＰＣ２００、測定装置３００に分散する形態には限定されない。例えば、測定装置が上述したＰＣの機能を有し、測定装置とプロジェクタ１００との間で通信が行われてもよい。
【図面の簡単な説明】
【００５５】
【図１】本実施例における色むら補正システムの使用状態を示す図である。
【図２】本実施例におけるプロジェクタの機能ブロック図である。
【図３】本実施例におけるＰＣの機能ブロック図である。
【図４】本実施例における測定装置の機能ブロック図である。
【図５】本実施例における測定位置を示す模式図である。
【図６】本実施例における測定位置と測定値を示す図である。
【図７】本実施例における色むら補正手順を示すフローチャートである。
【図８】他の実施例における測定装置の外観図である。
【図９】他の実施例における測定装置の外観図である。
【符号の説明】
【００５６】
２０  スクリーン（投写対象物）、３０  画像、１００  プロジェクタ、１１０  プロジェクタ側通信部、１２０、２２０  記憶部、１２１  キャリブレーションデータ、１２２  色むら補正データ、１３０  画像生成部、１４０  補正部、１４２  色むら補正部、１９０  投写部、２００  ＰＣ（制御装置）、２１０  ＰＣ側通信部、２２１  測定情報、２２２  色むら補正データ、２２３  投写領域情報、２２４  測定領域情報、２３０  情報生成部、２４０  色むら補正データ生成部、３００〜３０２  測定装置、３１０  測定側通信部、３２０  駆動部、３３０  支持部、３４０  測定部
【図１】
2009116227.tif 000003
【図２】
2009116227.tif 000004
【図３】
2009116227.tif 000005
【図４】
2009116227.tif 000006
【図５】
2009116227.tif 000007
【図６】
2009116227.tif 000008
【図７】
2009116227.tif 000009
【図８】
2009116227.tif 000010
【図９】
2009116227.tif 000011